(57)【要約】【課題】輝度ムラを抑えることができると共に、組立作業が容易であり組立作業の負荷が低減されるバックライト装置を提供する。【解決手段】所定の間隔で配置されたＣＣＦＬ３４と、1面が開放面となっており、その内部にＣＣＦＬ３４を配置する有底ケース３１と、有底ケース３１の開放面に配置され、ＣＣＦＬ３４から射出した光の一部を遮光するライティングカーテン３６と、ライティングカーテン３６を透過した光を拡散して透過する拡散板３２とを有する。ここで、ライティングカーテン３６は、入射する光の一部を遮光する複数の遮光部と、入射する光を透過する透過部とを有し、複数の頂部３６ａが所定の間隔をもって形成された波板状であって、遮光部は、遮光部材から形成された遮光パターンを有し、遮光パターンは各頂部３６ａに位置し、複数の頂部で同一である。【選択図】図１
2010197865.tif 000002
【特許請求の範囲】
【請求項１】
所定の間隔で形成され、入射する光の一部を遮光する複数の遮光部と、
入射する光を透過する複数の透過部と、
を有し、前記複数の遮光部が複数の頂部に配設され、前記複数の頂部を備えて波板状に形成されていることを特徴とするライティングカーテン。
【請求項２】
前記複数の遮光部は、遮光部材から形成された遮光パターンを有し、
前記遮光パターンは、前記複数の頂部で同一であることを特徴とする請求項１記載のライティングカーテン。
【請求項３】
所定の間隔で配置された光源と、
1面が開放面となっており、その内部に前記光源を配置する筐体と、
前記筐体の前記開放面に配置され、前記光源から射出した光の一部を遮光する請求項１または請求項２記載のライティングカーテンと、
前記ライティングカーテンを透過した光を拡散して透過する拡散板と、
を有し、前記ライティングカーテンの前記各頂部は、前記光源に対向する位置に配置されることを特徴とするバックライト装置。
【請求項４】
請求項３記載のバックライト装置と、
前記光が前記拡散板を透過した位置に配設された液晶パネルと、
を有することを特徴とする液晶表示装置。
【発明の詳細な説明】
【技術分野】
【０００１】
本発明は、ライティングカーテン、ライティングカーテンを用いるバックライト装置、およびバックライト装置を備えた液晶表示装置に関するものである。
【背景技術】
【０００２】
従来、バックライト装置の輝度ムラ低減を図る手段として、たとえば特許文献１に示すように、ランプとの距離に応じて、遮光用ドットをグラデーションした（遮光用ドットの形状を段階的に変化させた）ライティングカーテンを用いる手段が広く知られている。
【０００３】
しかし、従来のライティングカーテンは、薄いシート状に形成されており、ピンや柱状の支持部材等を用いて有底ケースや反射板に固定されている。なお、ピン等を用いることなく、ライティングカーテンを単純に拡散板の上に乗せている構成のものもある。
【０００４】
このような設置形態では、ライティングカーテンに撓みが発生する等して、ランプに対するライティングカーテンの距離（位置）が不正確なものになり、バックライト装置における輝度が不均一になる。
【０００５】
ライティングカーテンの撓みを抑制する手段として、たとえば特許文献２に示すように、蛍光管固定板等を用いたものが知られている。
【０００６】
さらに、上記従来のライティングカーテンに関する技術文献として、たとえば、特許文献３、特許文献４を掲げることができる。
【先行技術文献】
【特許文献】
【０００７】
【特許文献１】特開平６−３０１０３４号公報
【特許文献２】特開２００５−１１７０２３号公報
【特許文献３】特開平５−１１９３１３号公報
【特許文献４】特開平６−２７３７６０号公報
【発明の概要】
【発明が解決しようとする課題】
【０００８】
上記特許文献２によると、バックライト装置を組立てる際、ライティングカーテンの位置合わせが難しく、ライティングカーテンを精度良く設置することが難しい。
【０００９】
上記特許文献１に示すように、薄いシート状のライティングカーテンを用いたバックライト装置では、シートの撓み等を完全に抑制することは困難であり、液晶表示装置の視認性が阻害される（輝度のばらつきが生じる）。また、上記特許文献２に示すように、液晶表示装置の視認性を向上させようとすると、バックライト装置の組立作業における作業性が悪化するという問題がある。
【００１０】
本発明は、上記問題点に鑑みてなされたものであり、輝度ムラを抑えることができると共に、組立作業が容易であり組立作業の負荷が低減されるバックライト装置、このバックライト装置に使用されるライティングカーテン、および、バックライト装置を使用した液晶表示装置を提供することを目的とする。
【課題を解決するための手段】
【００１１】
第１の発明は、所定の間隔で形成され、入射する光の一部を遮光する複数の遮光部と、入射する光を透過する複数の透過部とを有し、複数の遮光部が複数の頂部に配設され、複数の頂部を備えて波板状に形成されることを特徴とするライティングカーテンである。
【００１２】
第２の発明は、複数の遮光部は、遮光部材から形成された遮光パターンを有し、遮光パターンは複数の頂部で同一であることを特徴とする第１の発明に記載のライティングカーテンである。
【００１３】
第３の発明は、所定の間隔で配置された光源と、1面が開放面となっており、その内部に光源を配置する筐体と、筐体の開放面に配置され、光源から射出した光の一部を遮光する第１の発明または第２の発明に記載のライティングカーテンと、ライティングカーテンを透過した光を拡散して透過する拡散板とを有し、ライティングカーテンの各頂部は、光源に対向する位置に配置されることを特徴とするバックライト装置である。
【００１４】
第４の発明は、第３の発明に記載のバックライト装置と、光が拡散板を透過した位置に配設された液晶パネルとを有することを特徴とする液晶表示装置である。
【発明の効果】
【００１５】
本発明によれば、輝度ムラを抑えることができると共に、組立作業が容易であり組立作業の負荷が低減されるという効果を奏する。
【図面の簡単な説明】
【００１６】
【図１】本発明の実施形態に係る液晶表示装置１の概略構成を示す断面図である。
【図２】液晶表示装置１のバックライト装置３に使用されるライティングカーテン３６の製造方法の概略を示す図である。
【図３】ライティングカーテン３６の概略構成を示す図である。
【図４】ライティングカーテン３６の変形例を示す図であり、図３に対応した図である。
【図５】ライティングカーテン３６の変形例を示す図であり、図３に対応した図である。
【図６】ライティングカーテン３６の各変形例を示す図であり、図３（ｂ）に対応した図である。
【図７】ライティングカーテン３６の変形例を示す図であり、図３（ｂ）に対応した図である。
【図８】ライティングカーテン３６の変形例を示す図である。
【発明を実施するための形態】
【００１７】
図１は、本発明の実施形態に係る液晶表示装置１の概略構成を示す断面図であり、図２は、液晶表示装置１のバックライト装置３に使用されるライティングカーテン３６の製造方法の概略を示す図である。なお、図２（ａ）は、曲げられる前の平板状のライティングカーテン３６を示す斜視図であり、図２（ｂ）は、金型Ｍを用いたライティングカーテン３６の成形を示す図である。図３は、液晶表示装置１のバックライト装置３に使用されるライティングカーテン３６の概略構成を示す図である。なお、図３（ａ）は、ライティングカーテン３６の斜視図であり、図３（ｂ）は、図３（ａ）におけるＢ矢視図である。
【００１８】
液晶表示装置１は、図１の上側が視認側（表示面側；前側）であり、この上側に設置される表示部としての液晶パネル２と、この液晶パネル２を照明する直下型のバックライト装置３とを備えている。なお、図１の下側が、液晶表示装置１の後側になっている。
【００１９】
バックライト装置３は、開口した有底ケース（筐体）３１を備えており、有底ケース３１の開口部（開放した１面）を覆うようにして拡散板３２が設置されている。有底ケース３１の内部には、リフレクタとよばれる反射シート（反射部材）３３、光源となる冷陰極管（ＣＣＦＬ；Ｃｏｌｄ  Ｃａｔｈｏｄｅ  Ｆｌｕｏｒｅｓｃｅｎｔ  Ｌａｍｐ）３４、ランプホルダ３５、ライティングカーテン（シート）３６が配置（格納）されている。なお、液晶パネル２は、ＣＣＦＬ３４の光が、バックライト装置３の拡散板３２を透過した位置に配設されている。
【００２０】
また、バックライト装置３は、光学シート（例えば偏光分離フィルム、拡散フィルム、プリズムシートなど視野角を改善するための光学シート）５１を備えており、光学シート５１は、液晶パネル２とバックライト装置３の拡散板３２との間に設置されている。
【００２１】
なお、図１で示す液晶表示装置１では、ライティングカーテン３６と拡散板３２との間が間隔Ｌ１だけあいており、拡散板３２と光学シート５１との間が間隔Ｌ２だけあいており、光学シート５１と液晶パネル２との間が間隔Ｌ３だけあいているが、実際には、液晶パネル２と光学シート５１と拡散板３２とは、矩形な環状のシャーシによって、有底ケース３１の矩形な開口部の縁に一体的に設置されている。このときに、間隔Ｌ１の値は、ほぼ「０」か、もしくはごく僅かな値になっており、間隔Ｌ２の値は、ほぼ「０」になっており、間隔Ｌ１の値は、「０」以上のごく僅かな値になっている。
【００２２】
反射部材（リフレクタ）３３は、ＣＣＦＬ３４の主に後側に配置されており、ＣＣＦＬ３４が発した光を液晶表示装置１の前側（図１の上側）に向かって反射するようになっている。拡散板３２は、平板状に形成されており、ＣＣＦＬ３４から所定の距離だけ離れて、ＣＣＦＬ３４の前側で、ＣＣＦＬ３４と平行に配置されている。
【００２３】
ここで、光源として、所定の間隔をあけてお互いが平行に配置された（同一平面上に配置された）複数のＣＣＦＬ３４等の線光源を用いた場合を掲げて説明する。
【００２４】
また、具体例として、拡散板３２は、厚み２ｍｍ程度の長方形の合成樹脂でできており、ＣＣＦＬ３４は、円柱状に形成された管径３ｍｍ程度のもので、長方形状の有底ケース（反射部材３３）３１の長手方向に複数本、所定の間隔（２３ｍｍ）で配置されている。４２インチサイズの液晶表示装置１を想定した場合、本数は２２本となる。また、拡散板３２の下面と反射部材３３の内面の底部５３との距離は９ｍｍである。
【００２５】
ライティングカーテン３６は、線光源であるＣＣＦＬ３４のランプイメージを低減するために用いられている。すなわち、ライティングカーテン３６には、ドット形状が設けられており、ＣＣＦＬ３４の発する光による拡散板３２での輝度がほぼ均一になるように用いられている。なお、ライティングカーテン３６を透過した光が、拡散板３２で拡散されて拡散板３２を透過するようになっている。
【００２６】
ライティングカーテン３６は、立体的に形成されることにより各ＣＣＦＬ３４を覆うように設置されている。ＣＣＦＬ３４の延伸方向に対して直交する平面におけるライティングカーテン３６の断面形状は、同一形状になっている。すなわち、図１に示す形状で、各ＣＣＦＬ３４と共に図１の紙面に直交する方向に延びている。
【００２７】
ライティングカーテン３６は、たとえば、波板状に形成されていることによって立体的に曲がっており、拡散板３２とＣＣＦＬ３４との間に配置されている。また、ライティングカーテン３６には、前述したように、ＣＣＦＬ３４が発した光を調光するためのドット形状が設けられている（図２（ａ）、図３（ａ）等参照）。すなわち、ライティングカーテン３６は、有底ケース３１の開放面（開放面側）に配置されており、ＣＣＦＬ３４が射出した光に一部を遮光するようになっている。
【００２８】
有底ケース３１は、たとえば金属で矩形な枡状に形成されている。反射部材３３はたとえば樹脂等で矩形な枡状に形成されている。反射部材３３の内面には、反射部が形成されている。また、反射部材３３は、この外面が、有底ケース３１の内面に接触するかもしくは僅かな間隔を隔てて対向するようにして、有底ケース３１に設けられている。なお、有底ケース３１や反射部材３３の矩形状の開口部側が、バックライト装置３（液晶表示装置１）の前側になり、有底ケース３１や反射部材３３の平板状で矩形状の底部５３側がバックライト装置３の後側になる。
【００２９】
各ＣＣＦＬ３４は、ランプホルダ３５を介して、反射部材３３の内面の底部５３の近くで、有底ケース３１や反射部材３３に一体的に設けられている。また、ＣＣＦＬ３４の長手方向は、反射部材３３や有底ケース３１の長手方向（幅方向でもよい）と一致している。また、各ＣＣＦＬ３４は、所定のピッチｐ１でお互いが間隔をあけて平行に延びて設けられていると共に、各ＣＣＦＬ３４と反射部材３３の内面の平面状の底部５３との間の距離は等しくなっている。
【００３０】
ここで、ライティングカーテン３６についてより詳しく説明する。
【００３１】
ライティングカーテン３６は、前述したように、たとえば、波板状に形成されていることによって、立体的に曲がって形成されている。
【００３２】
なお、波板状は、流れ方向（ＣＣＦＬ３４の延伸方向）に垂直な平面による断面の形状が、図６（ｄ）（図３（ｂ）に相当する図）で示すような正弦波状のものだけではなく、矩形波状等の一定の形状が繰り返えされている形状を含むものとする。
【００３３】
たとえば、断面の形状が、図１や図３（ｂ）に示すように、等脚台形を繰り返した形状（矩形波の立ち上がり部や立ち下がり部を斜めにした形状）になっているものを含むものとする。
【００３４】
すなわち、図１や図３（ｂ）に示すライティングカーテン３６は、矩形な平板状の底部３６ｂと、矩形な平板状の頂上部３６ａと、平板状の斜めの立ち上がり部位（斜め部位）３６ｅとを備え、各部位３６ａ,３６ｂ,３６ｅの境界で鈍角の角度で折れ曲がって、波板状に形成されている。
【００３５】
そして、図１で示すように、底部３６ｂが反射部材３３の底部５３に面接触して、ライティングカーテン３６が反射部材３３に一体的に設けられている。この場合、ＣＣＦＬ３４の長手方向とライティングカーテン３６の流れ方向（ライティングカーテン３６を波板状のトタン板と仮定して場合において水の流れる方向）は、図１や図３（ｂ）の紙面に直交する方向であり、お互いが一致している。
【００３６】
また、図１に示すように、ＣＣＦＬ３４は、斜め部位３６ｅと頂上部３６ａと反射部材３３の底部５３とで囲まれた等脚台形状の空間ＳＰ内に位置しており、曲がっているライティングカーテン３６がＣＣＦＬ３４を覆っている。また、ライティングカーテン３６のピッチ（波のピッチ）と、ＣＣＦＬ３４のピッチｐ１とはお互いに一致しており、ライティングカーテン３６の幅方向（図１や図３（ｂ）の左右方向）では、ＣＣＦＬ３４は、空間ＳＰの中央部に位置している。また、空間ＳＰは、複数形成されており、各空間ＳＰ内に、ＣＣＦＬ３４が設置されている。
【００３７】
図３（ａ）に示すように、ライティングカーテン３６に設けられているドット形状５５は、たとえば、特開２００５−１１７０２３号公報に記載されているドット形状と同様のものであり、ドット形状５５が設けられていることによって、光源がＣＣＦＬ３４等の線光源であるにもかかわらず、光源の調光がされて、拡散板３２で均一な輝度を得ることができるようになっている。なお、ドット形状以外の他の形態のものを使用して上記調光をするようにしてもよい。
【００３８】
また、ライティングカーテンは、ＰＥＴ（Ｐｏｌｙ  Ｅｔｈｙｌｅｎｅ  Ｔｅｒｅｐｈｔｈａｌａｔｅ）材料をベースとした厚み０．２ｍｍのフィルムにドット形状５５を印刷して形成されている。ドットは、光反射率の高い白色インク（遮光部材）を上記フィルムに所定のパターンで印刷して形成されており、ＣＣＦＬ３４に対向する位置に近い領域にはドットの個数が多いかもしくはドットの径が大きくなっており、ＣＣＦＬ３４から距離が離れるに従ってドットの個数がしだいに少なくなっているか、もしくは、ドットの径がしだいに小さくなっている。そして、ＣＣＦＬ３４の光のシートでの透過性を最適調整してある。
【００３９】
たとえば、ライティングカーテン３６が反射部材３３に設置されたときに、ＣＣＦＬ３４と拡散板３２との間に位置し拡散板３２と平行になっている部位（前側部位；頂上部）３６ａにおけるドットの径は大きくなっており、ライティングカーテン３６の前側部位３６ａにおける光の透過率が低下するようになっている。
【００４０】
一方、ライティングカーテン３６が反射部材３３に設置されたときに、ＣＣＦＬ３４と拡散板３２との間に位置し拡散板３２に対して斜めになっている部位（斜め部位）３６ｅにおけるドットの径は、前側部位３６ａのおけるドット径よりも小さくなっている。
【００４１】
さらに詳しく説明すると、ライティングカーテン３６の前側部位３６ａにおけるドットは、ＣＣＦＬ３４に近いほど径が大きくなっており、ＣＣＦＬ３４から遠ざかるにしたがって径が小さくなっている。すなわち、図１でＣＣＦＬ３４の真上の位置に設けられているドットの径が最も大きくなっており、ＣＣＦＬ３４の真上から横方向にすれるにしたがって、ドットの径が小さくなっている。
【００４２】
また、ライティングカーテン３６の斜め部位３６ｅにおけるドットは、ライティングカーテン３６の前側部位３６ａに近いほどドットの径が大きくなっており、ライティングカーテン３６の前側部位３６ａから離れるにしたがって、ドットの径が小さくなっている。
【００４３】
なお、上記各ドットは、その径が異なっているが、ドットが設けられているピッチは、一定になっている。また、ライティングカーテン３６の流れ方向（図１や図３（ｂ）の紙面に直交する方向）では、同じ径のドットが前記ピッチで並んでいる。すなわち、遮光用部材の印刷パターンは、ライティングカーテン３６の流れ方向では一定であり、ライティングカーテン３６の幅方向で適宜変化していることになる。
【００４４】
以上説明したように、ライティングカーテン３６は、所定の間隔で形成され入射する光の一部を遮光する複数の遮光部と、入射する光を透過する複数の透過部とを有し、前記複数の遮光部が複数の頂部（頂上部）３６ａに配設され、前記複数の頂部３６ａを備えて波板状に形成されている。
【００４５】
なお、前記複数の遮光部は、遮光部材から形成された遮光パターンを有し、この遮光パターンは前記複数の頂部３６ａで同一になっている。また、ライティングカーテン３６の各頂部３６ａは、ＣＣＦＬ３４に対向する位置に配置されている。
【００４６】
さらに、前述したように、ドットの径を変えることに代えてもしくは加えて、ドットの個数を増減させてもよい。たとえば、総てのドットの径を同じにして、ライティングカーテン３６の前側部位３６ａにおけるドットのピッチを小さくし、ライティングカーテン３６の斜め部位３６ｅにおけるドットのピッチを大きくしてもよい。
【００４７】
なお、ライティングカーテン３６が反射部材３３に設置されたときに、反射部材３３と接するライティングカーテンの部位（底部）３６ｂには、ドットが形成されていない。
【００４８】
ここで、ライティングカーテン３６の製造方法について説明する。
【００４９】
まず、ＰＥＴ材料をベースとした厚み０．２ｍｍの平板状（シート状）のフィルム（素材）に、遮光部材の例である光反射率の高い白色インクをスクリーン印刷工法等してドット形状を形成する（図２（ａ）参照）。
【００５０】
続いて、所望の立体構造形成用金型Ｍに上記フィルムを設置し、熱プレスや真空プレス等でプレス成型をする（図２（ｂ）参照）。このとき、１００℃程度の温度をかけながらプレスを行うと加工時の割れ等を抑えることができる。
【００５１】
なお、上記説明では、遮光用ドット印刷後にライティングカーテンを成型する例を示しているが、プレス後に遮光用ドット印刷してもよい。
【００５２】
ここで、立体構造の（立体的に形成された）ライティングカーテン３６の各寸法を、図３（ｂ）を参照して例示する。ＣＣＦＬ３４の直上に位置する上部３６ａの幅Ｌ４は８ｍｍ、ＣＣＦＬ３４間すなわちリフレクタ３３に接地する底部３６ｂの幅Ｌ５は４．２ｍｍ、底部３６ｂと上部３６ａとを結ぶ傾斜部（斜め部位）３６ｅの傾斜角度３６ｃは６０°、ライティングカーテン３６の波の高さ３６ｄは８．５ｍｍになっている。
【００５３】
なお、ライティングカーテン３６の底部３６ｂに、リフレクタ３３に固定するための位置決め基準孔等が設けられていることが望ましい。基準孔等はリフレクタ３３に設けられている突起に係合するようになっているものとする。
【００５４】
また、波板状のライティングカーテン３６として、図１、図３（ｂ）や図６（ｄ）に掲げるもの以外に、様々な形態を考えることができる。
【００５５】
まず、断面の形状（流れ方向に垂直な平面による断面の形状）を、図４に示すように、半円状のものを所定の間隔をあけて並べ、各半円の間を直線でつないだ形状のものとすることができる。なお、上記各半円は、同じ姿勢で各端部が１本の直線の上に位置するようにして並んでおり、各半円の間の直線の部分が、ライティングカーテン３６の底部（反射部材に接する部位）３６ｂになる。
【００５６】
また、断面の形状を、図５示すように、逆「Ｖ」字状のものを所定の間隔をあけて並べ、各逆「Ｖ」字状のものの間を直線でつないだ形状のものとすることができる。なお、上記各逆「Ｖ」字状のものは、同じ姿勢で各端部が１本の直線の上に位置するようにして並んでおり、各逆「Ｖ」字状のもの間の直線の部分が、ライティングカーテン３６の底部３６ｂになる。
【００５７】
また、断面の形状を、図６（ａ）に示すように、矩形波状に形成してあってもよい。
【００５８】
また、断面の形状を、図６（ｂ）に示すように、逆「Ｕ」字状のものを所定の間隔をあけて並べ、各逆「Ｕ」字状のものの間を直線でつないだ形状のものとすることができる。なお、上記各逆「Ｕ」字状のものは、同じ姿勢で各端部が１本の直線の上に位置するようにして並んでおり、各逆「Ｕ」字状のもの間の直線の部分が、ライティングカーテン３６の底部３６ｂになる。
【００５９】
また、断面の形状が、図６（ｃ）に示すように、矩形波状のものの角部（拡散板３２側の角部）に面取りを施した形状になっていてもよい。
【００６０】
バックライト装置３によれば、ライティングカーテン３６が立体的に曲がってＣＣＦＬ３４を覆うように設置されていると共に、ＣＣＦＬ３４の延伸方向に対して直交する平面によるライティングカーテン３６の断面形状が同一形状になっているので、ＣＣＦＬ３４が発した光が、ドットパターンが形成され立体的に曲がっているライティングカーテン３６でほどよく調光されて、バックライト装置３（拡散板３２）における輝度ムラの発生を抑えることができる。
【００６１】
また、ライティングカーテン３６の剛性が上がっており、ライティングカーテン３６のバックライト装置３（反射部材３３や有底ケース３１）への設置を、高い位置精度で容易に行うことができる。すなわち、バックライト装置３の組立作業が容易になり組立作業の作業負荷が低減される。
【００６２】
たとえば、立体構造のライティングカーテン３６は、平面状のものに比べて剛牲があるので、反射板（リフレクタ）３３と接続する場合（有底ケース３１や反射部材３３に設置する場合）、数箇所（１０箇所程度）を固定するだけでよく、また、反射部材３３との固定に用いる材料として、特に視認性を考慮する必要はなく、たとえば、ワンタッチクリップや接着剤等を用いて固定することができ、ライティングカーテン３６の反射部材３３等への設置が容易になる。
【００６３】
また、バックライト装置３によれば、ライティングカーテン３６を立体的に成形する前に、シート状の素材に遮光用の部材（ドット形状５５）を印刷しているで、遮光用の部材の印刷を容易に行うことができる。
【００６４】
ところで、図７に示すように、ライティングカーテン３６ｇを平板状に形成し、図３等を用いて説明した波板状のライティングカーテン３６と同様に構成されて設置される支持部材５７を用いて、平板状のライティングカーテン３６ｇを、設置するようにしてもよい。この場合、光カップリング剤の機能と接着剤の機能とを併せ持つ結合剤で、ライティングカーテン３６ｇが支持部材５７に一体的に支持されているものとする。
【００６５】
ここで、支持部材５７は、ライティングカーテンに使用する部材もしくは透明で視認性に優れたものが良い。たとえば、透明PETや拡散性能を付与したPET材のように加工性、視認性、剛性が全て備わった材料が望ましい。
【００６６】
さらに、ライティングカーテンが、波板状以外の形態で曲がっていてもよい。
【００６７】
たとえば、図８（図８（ｂ）は、図８（ａ）のＢ−Ｂ断面）に示すように、バックライト装置の光源として、ＬＥＤ５９等の点光源を採用してもよい。この場合、複数のＬＥＤ５９がほぼ同一平面上に所定の間隔をあけて配置してある。線光源でなくて点光源を採用した場合においては、各ＬＥＤ５９に対応するライティングカーテン３６ｈの各部位を、椀状（たとえば、円錐台状）に形成してある。すなわち、椀状に形成されている凹凸部（ＬＥＤ５９から見ると、ＬＥＤ５９を包むように凹んでおり、拡散板３２側に凸になっている凹凸部）６１が、各ＬＥＤ５９が設置されているピッチと同じピッチで形成されている。
【００６８】
なお、上述したバックライト装置３は、光源のランプイメージを低減するために用いられるライティングカーテンが、自らの剛性を増すために（反射部材３３や有底ケース３１に設置するときもしくは設置したときにおける、光源等との相対的な位置精度を良好にものとするための剛性を増すために）、立体的に曲がっているバックライト装置の例である。
【００６９】
そして、光源等との相対的な位置精度が良好になることによって、拡散板３２における光源のランプイメージを低減する事が容易になっている。
【００７０】
ところで、平板状に形成されているライティングカーテンは、この厚さ方向に延びている軸まわりの回転モーメントに対しては剛性が高く、これ以外の外力に対しての剛性が低い。
【００７１】
したがって、平板状に形成されているライティングカーテンを用いた場合、ライティングカーテンがこの厚さ方向に歪みやすく、歪んだことにより光源等に対するライティングカーテンの設置位置精度が悪化する。
【００７２】
これに対して、図１や図３等で示すように、ライティングカーテン３６を波板状等に曲げることにより、図１や図３（ｂ）の左右方向に延びている軸まわりのモーメントに対するライティングカーテン３６の剛性が高くなり、平板状に形成されている場合に比べて、ＣＣＦＬ３４等との相対的な位置精度（有底ケース３１等への設置精度）を良好にものにすることができ、拡散板３２における輝度の均一性が確保される。
【００７３】
なお、すでに理解されるように、ライティングカーテン３６が剛性を増すために立体的に曲がっているのであるが、立体的に曲がっていることによって、あらゆる方向の外力に対しての剛性が、平板状のものよりも高くなっているのではない。すなわち、ライティングカーテン３６は、前述したように、これを反射部材３３や有底ケース３１に設置するときもしくは設置したときにおける、ＣＣＦＬ３４等との相対的な位置精度を良好にものとするための剛性が高められている。
【００７４】
また、上記各図に示すライティングカーテン（ライティングカーテンの肉部の厚さ方向のおける各面）は、平面に展開可能な面で構成されているが、球面等の二次曲面になっていてもよい。すなわち、図８で、凹凸部を半球殻状に形成してあってもよいし、図３（ｂ）図４（ｂ）、図５（ｂ）、図６で、紙面に直交する方向（波板の流れ方向）で、ライティングカーテンを、たとえば、曲率半径の大きな円柱側面に沿うように、曲げてあってもよい。
【符号の説明】
【００７５】
１  液晶表示装置
２  液晶パネル
３  バックライト装置
３１  有底ケース
３２  拡散板
３３  リフレクタ（反射部材）
３４  ＣＣＦＬ
３５  ランプホルダ
３６、３６ｇ、３６ｈ  ライティングカーテン
３６ａ  ライティングカーテンの頂上部
３６ｂ  ライティングカーテンの底部
３６ｃ  傾斜角
３６ｄ  高さ
５５  ドット形状
【図１】
2010197865.tif 000003
【図２】
2010197865.tif 000004
【図３】
2010197865.tif 000005
【図４】
2010197865.tif 000006
【図５】
2010197865.tif 000007
【図６】
2010197865.tif 000008
【図７】
2010197865.tif 000009
【図８】
2010197865.tif 000010